【手続補正書】
【提出日】平成21年1月28日(2009.1.28)
【手続補正１】
【補正対象書類名】明細書
【補正対象項目名】特許請求の範囲
【補正方法】変更
【補正の内容】
【特許請求の範囲】
【請求項１】
熱可塑性樹脂を原料又は主原料とする溶融した線条を複数の孔を有するダイスから下方へ押し出し、一部水没した、無端部材を備えた少なくとも１個の無端コンベアの間に自然降下させ、該降下速度より前記線条を遅く引き込むことにより立体網目状構造体を製造する際、押出された線条の集合体の幅より前記無端コンベアの間隔が狭く設定され、前記無端部材が水没する前後に前記線条の集合体の外周の少なくとも三面又は四面が前記無端部材に接触することを特徴とした立体網状構造体の製造方法。
【請求項２】
前記立体網目状構造体の外周の三面又は四面のいずれかの表面側の密度が、前記表面側を除く部分の密度より相対的に低いことを特徴とする請求項１記載の立体網状構造体の製造方法。
【請求項３】
前記立体網目状構造体の外周の三面又は四面のいずれかの表面側及び中間部の密度が、前記表面側を除く部分の密度より相対的に低いことを特徴とする請求項２記載の立体網状構造体の製造方法。
【請求項４】
前記無端コンベアまたは押出機の吐出量を変化させることにより、密度を変化させる請求項１ないし３いずれかに記載の立体網状構造体の製造方法。
【請求項５】
複数の孔を有する口金を先端部に有するダイスを備え、熱可塑性樹脂を原料又は主原料とする溶融した線条を前記口金から下方へ押し出す押し出し成形機と、
水槽と、
該水槽に一部水没した、無端部材を備えた、少なくとも２個の無端コンベアと、を備え、
前記線条を前記無端コンベアの間に降下させ、該降下速度より前記線条を遅く引き込むように前記無端コンベアの速度を設定し、
前記押し出された線条の集合体の幅より前記無端コンベアの間隔が狭く設定され、
前記無端部材が水没する前後に前記線条の集合体の外周の少なくとも三面又は四面が前記無端部材に接触することを特徴とした立体網状構造体製造装置。
【請求項６】
複数の孔を有する口金を先端部に有するダイスを備え、熱可塑性樹脂を原料又は主原料とする溶融した線条を前記口金から下方へ押し出す押し出し成形機と、
水槽と、
該水槽に一部水没した、無端部材を備えた、少なくとも２個の無端コンベアと、を備え、
前記線条を前記無端コンベアの間に降下させ、該降下速度より前記線条を遅く引き込むように前記無端コンベアの速度を設定し、
前記押し出された線条の集合体の幅より前記無端コンベアの間隔が狭く設定され、
前記無端部材が水没する前後に前記線条の集合体の外周の少なくとも二面が前記無端部材に接触し、前記無端コンベアのベルト断面が異形断面とされたことを特徴とした立体網状構造体製造装置。
【請求項７】
複数の孔を有する口金を先端部に有するダイスを備え、熱可塑性樹脂を原料又は主原料とする溶融した線条を前記口金から下方へ押し出す押し出し成形機と、
水槽と、
該水槽に一部水没した、無端部材を備えた、少なくとも２個の無端コンベアと、を備え、
前記線条を前記無端コンベアの間に降下させ、該降下速度より前記線条を遅く引き込むように前記無端コンベアの速度を設定し、
前記押し出された線条の集合体の幅より前記無端コンベアの間隔が狭く設定され、
前記無端部材が水没する前後に前記線条の集合体の外周の少なくとも二面が前記無端部材に接触し、前記無端コンベアの複数条のチェーンにベルト部材として板状の多数の金属材を直交して周設したことを特徴とした立体網状構造体製造装置。
【請求項８】
複数の孔を有する口金を先端部に有するダイスを備え、熱可塑性樹脂を原料又は主原料とする溶融した線条を前記口金から下方へ押し出す押し出し成形機と、
水槽と、
該水槽に一部水没した、無端部材を備えた、少なくとも２個の無端コンベアと、を備え、
前記線条を前記無端コンベアの間に降下させ、該降下速度より前記線条を遅く引き込むように前記無端コンベアの速度を設定し、
前記押し出された線条の集合体の幅より前記無端コンベアの間隔が狭く設定され、
前記無端部材が水没する前後に前記線条の集合体の中空部が形成されるように前記口金に閉塞部を形成したことを特徴とした立体網状構造体製造装置。
【請求項９】
複数の孔を有する口金を先端部に有するダイスを備え、熱可塑性樹脂を原料又は主原料とする溶融した線条を前記口金から下方へ押し出す押し出し成形機と、
水槽と、
該水槽に一部水没した、無端部材を備えた、少なくとも２個の無端コンベアと、を備え、
前記線条を前記無端コンベアの間に降下させ、該降下速度より前記線条を遅く引き込むように前記無端コンベアの速度を設定し、
前記押し出された線条の集合体の幅より前記無端コンベアの間隔が狭く設定され、
前記無端部材が水没する前後に前記線条の集合体の所定方向に粗密ができるよう、前記口金に孔の密度の高い領域及び低い領域を形成したことを特徴とした立体網状構造体製造装置。
【請求項１０】
前記無端コンベアまたは押出機の吐出量を変化させることにより、密度を変化させる請求項５ないし８いずれかに記載の立体網状構造体製造装置。
【手続補正２】
【補正対象書類名】明細書
【補正対象項目名】０００９
【補正方法】変更
【補正の内容】
【０００９】
請求項３記載の発明は、前記立体網目状構造体の外周の三面又は四面のいずれかの表面側及び中間部の密度が、前記表面側を除く部分の密度より相対的に低いことを特徴とする請求項２記載の立体網状構造体の製造方法である。これにより請求項１の課題が一層好適に解決できる。
請求項４記載の発明は、前記無端コンベアまたは押出機の吐出量を変化させることにより、密度を変化させる請求項１ないし３いずれかに記載の立体網状構造体の製造方法である。これにより請求項１の課題が一層好適に解決できる。
【手続補正３】
【補正対象書類名】明細書
【補正対象項目名】００１０
【補正方法】変更
【補正の内容】
【００１０】
請求項５記載の発明は、複数の孔を有する口金を先端部に有するダイスを備え、熱可塑性樹脂を原料又は主原料とする溶融した線条を前記口金から下方へ押し出す押し出し成形機と、水槽と、該水槽に一部水没した、無端部材を備えた、少なくとも２個の無端コンベアと、を備え、前記線条を前記無端コンベアの間に降下させ、該降下速度より前記線条を遅く引き込むように前記無端コンベアの速度を設定し、前記押し出された線条の集合体の幅より前記無端コンベアの間隔が狭く設定され、前記無端部材が水没する前後に前記線条の集合体の外周の少なくとも三面又は四面が前記無端部材に接触することを特徴とした立体網状構造体製造装置である。これにより請求項１と同様の課題を解決できる。
【手続補正４】
【補正対象書類名】明細書
【補正対象項目名】００１１
【補正方法】変更
【補正の内容】
【００１１】
請求項６記載の発明は、複数の孔を有する口金を先端部に有するダイスを備え、熱可塑性樹脂を原料又は主原料とする溶融した線条を前記口金から下方へ押し出す押し出し成形機と、水槽と、該水槽に一部水没した、無端部材を備えた、少なくとも２個の無端コンベアと、を備え、前記線条を前記無端コンベアの間に降下させ、該降下速度より前記線条を遅く引き込むように前記無端コンベアの速度を設定し、前記押し出された線条の集合体の幅より前記無端コンベアの間隔が狭く設定され、前記無端部材が水没する前後に前記線条の集合体の外周の少なくとも二面が前記無端部材に接触し、前記無端コンベアのベルト断面が異形断面とされたことを特徴とした立体網状構造体製造装置である。これにより異形形状への対応を可能とすることができる。
【手続補正５】
【補正対象書類名】明細書
【補正対象項目名】００１２
【補正方法】変更
【補正の内容】
【００１２】
請求項７記載の発明は、複数の孔を有する口金を先端部に有するダイスを備え、熱可塑性樹脂を原料又は主原料とする溶融した線条を前記口金から下方へ押し出す押し出し成形機と、水槽と、該水槽に一部水没した、無端部材を備えた、少なくとも２個の無端コンベアと、を備え、前記線条を前記無端コンベアの間に降下させ、該降下速度より前記線条を遅く引き込むように前記無端コンベアの速度を設定し、前記押し出された線条の集合体の幅より前記無端コンベアの間隔が狭く設定され、前記無端部材が水没する前後に前記線条の集合体の外周の少なくとも二面が前記無端部材に接触し、前記無端コンベアの複数条のチェーンにベルト部材として板状の多数の金属材を直交して周設したことを特徴とした立体網状構造体製造装置である。これにより無端コンベアの耐久性を向上させることができる。
【手続補正６】
【補正対象書類名】明細書
【補正対象項目名】００１３
【補正方法】変更
【補正の内容】
【００１３】
請求項８記載の発明は、複数の孔を有する口金を先端部に有するダイスを備え、熱可塑性樹脂を原料又は主原料とする溶融した線条を前記口金から下方へ押し出す押し出し成形機と、水槽と、該水槽に一部水没した、無端部材を備えた、少なくとも２個の無端コンベアと、を備え、前記線条を前記無端コンベアの間に降下させ、該降下速度より前記線条を遅く引き込むように前記無端コンベアの速度を設定し、前記押し出された線条の集合体の幅より前記無端コンベアの間隔が狭く設定され、前記無端部材が水没する前後に前記線条の集合体の中空部が形成されるように前記口金に閉塞部を形成したことを特徴とした立体網状構造体製造装置である。これにより異形断面の立体網状構造体が実現し、中空部に再生部材等を挿入することが多様な用途に適用できるようになる。
【手続補正７】
【補正対象書類名】明細書
【補正対象項目名】００１４
【補正方法】変更
【補正の内容】
【００１４】
請求項９記載の発明は、複数の孔を有する口金を先端部に有するダイスを備え、熱可塑性樹脂を原料又は主原料とする溶融した線条を前記口金から下方へ押し出す押し出し成形機と、水槽と、該水槽に一部水没した、無端部材を備えた、少なくとも２個の無端コンベアと、を備え、前記線条を前記無端コンベアの間に降下させ、該降下速度より前記線条を遅く引き込むように前記無端コンベアの速度を設定し、前記押し出された線条の集合体の幅より前記無端コンベアの間隔が狭く設定され、前記無端部材が水没する前後に前記線条の集合体の所定方向に粗密ができるよう、前記口金に孔の密度の高い領域及び低い領域を形成したことを特徴とした立体網状構造体製造装置である。これにより異形断面の立体網状構造体が実現する。所定方向とは厚さ方向、幅方向等である。孔の密度の高い場合には、孔を多数設けるほか、密度を１００％とする場合、例えば、口金にスリットを設けることも含まれる。
請求項１０記載の発明は、前記無端コンベアまたは押出機の吐出量を変化させることにより、密度を変化させる請求項５ないし８いずれかに記載の立体網状構造体製造装置である。
【手続補正８】
【補正対象書類名】明細書
【補正対象項目名】００５０
【補正方法】変更
【補正の内容】
【００５０】
【発明の効果】
請求項１乃至１０の発明によれば、後工程での仕上げを不要とし、整列度を高め、異形形状への対応を可能とし、耐久性を向上させた立体網状構造体の製造方法及び装置を提供でき、各種産業に与える工業的利用価値は極めて大である。